(57)【要約】【課題】  電子ダイヤルでカメラの色々な情報を設定した後にすばやく、設定された情報を所定の値や、初期状態に戻す事が可能で機構的にも簡単なカメラの情報設定装置を提供する。【解決手段】  電子ダイヤルの回転方向と回転量を検知する回転検知手段と該電子ダイヤルの回転操作に応じてカメラの情報設定を行なう情報設定手段と該情報設定手段で設定した情報を記憶する情報記憶手段とを有したカメラの情報設定装置において、前記回転検知手段により電子ダイヤルの回転方向の変化を所定時間内に所定回数以上検知した場合、前記カメラの情報設定手段により予め設定された状態に戻すようにした。【選択図】  図８
2006119519.tif 000002
【特許請求の範囲】
【請求項１】
電子ダイヤルの回転方向と回転量を検知する回転検知手段と該電子ダイヤルの回転操作に応じてカメラの情報設定を行なう情報設定手段と該情報設定手段で設定した情報を記憶する情報記憶手段とを有したカメラの情報設定装置において、前記回転検知手段により電子ダイヤルの回転方向の変化を所定時間内に所定回数以上検知した場合、前記カメラの情報設定手段により予め設定された状態に戻すようにした事を特徴とするカメラの情報設定装置。
【請求項２】
前記所定時間又は所定回数の少なくともいずれか１つを、変更可能とした事を特徴とする請求項１記載のカメラの情報設定装置。
【請求項３】
前記予め設定された状態に戻した場合、その後所定時間は前記電子ダイヤルの回転情報を受け付けないようにした事を特徴とする請求項１又は２に記載のカメラの情報設定装置。
【請求項４】
前記予め設定された状態に戻した場合、その後新たに他の操作部材が操作されるまで、前記電子ダイヤルの回転情報を受け付けないようにした事を特徴とする請求項１又は２に記載のカメラの情報設定装置。
【発明の詳細な説明】
【技術分野】
【０００１】
本発明は、電子ダイヤルを用いてカメラの撮影情報を設定するカメラの情報設定装置に関するものである。
【背景技術】
【０００２】
従来、カメラの撮影モードを切り替える時、シャッタ秒時の設定の時、複数の測距点を有する多点ＡＦの測距点の選択の時等に電子ダイヤルが用いられている。また特許文献１に記載のように、電子ダイヤルで回転の他に押し込み動作を追加したものを使って、露出補正値をダイヤルの回転で設定したのち、ダイヤルの押し込み操作で露出補正値を０にリセットするものがある。
【特許文献１】特開２００２−１８２２６２号公報
【発明の開示】
【発明が解決しようとする課題】
【０００３】
特許文献１に記載されたものは、露出補正を行う電子ダイヤルを回転することにより露出補正表示の露出量の補正幅をアナログ的に調整することができ、所定量の露出補正を行った状態で、電子ダイヤルの側面を押すことにより調整した補正値を瞬時に０にリセットするようにし、一つの部材の回転操作と押圧操作で露出の補正幅を調整し瞬時にリセットをかけることができるようにしたものであるが、回転動作の他に電子ダイヤルを押し込み方向に作動させるため、その作動を検知するスイッチを設けなければならないので、機構が複雑で大型化してしまうという問題点がある。
【課題を解決するための手段】
【０００４】
本発明は、電子ダイヤルの回転方向と回転量を検知する回転検知手段と該電子ダイヤルの回転操作に応じてカメラの情報設定を行なう情報設定手段と該情報設定手段で設定した情報を記憶する情報記憶手段とを有したカメラの情報設定装置において、前記回転検知手段により電子ダイヤルの回転方向の変化を所定時間内に所定回数以上検知した場合、前記カメラの情報設定手段により予め設定された状態に戻すようにした事を特徴とする。
【発明の効果】
【０００５】
本発明によれば、電子ダイヤルでカメラの色々な情報を設定した後にすばやく、設定された情報を所定の値や、初期状態に戻す事が可能で機構的にも簡単なカメラの情報設定装置を提供することが出来る。
【発明を実施するための最良の形態】
【０００６】
以下、本発明の実施例について説明する。
【実施例１】
【０００７】
以下、本発明の実施例１について図１から図８を用いて説明する。ここで、図１はカメラ本体を背面側から見た斜視図である。図２は、本発明の実施例を示すカメラ内部の電気回路のブロック図である。図３は電子ダイヤルの断面図である。図４は電子ダイヤルのダイヤル部の拡大図である。図５は電子ダイヤルの出力信号のタイミングチャートである。図６は電子ダイヤルの接続図である。図７は測距点の選択を説明した図である。図８は本発明の測距点選択時の動作を説明したフローチャートである。
【０００８】
図１において、１はカメラ本体、２は撮影動作を行うためのレリーズボタンである。撮影者は、撮影レンズ５０を通過した被写体の状況をファインダ４から視認し、レリーズボタン２を半押しすることで後述するスイッチ１（ＳＷ−１）がオンし測光を開始する。さらに、レリーズボタン２を全押しすることで後述するスイッチ２（ＳＷ−２）がオンし露光動作の開始を指令する。露光モードや各種条件は、液晶などの外部表示装置（以下、外部ＬＣＤと呼ぶ）８で確認することができる。複数の設定ボタン５は、カメラの作動モード、撮影条件などを任意に設定するための操作ボタンで、外部ＬＣＤ８上に表示された文字などを確認しながら操作を行う。３０は、前記設定ボタン５のいずれか１つを押しながら回転させることで、撮影モードの切り替えを行なったり、特定の撮影モードにおいてはシャッタ秒時の設定を行なったり、色々な撮影条件の設定を行なうときに使用する電子ダイヤルである。６は、測距点を任意に選択する時に使用する測距点選択スイッチで、撮影者はファインダ４を覗き、この測距点選択スイッチ６を押しながら電子ダイヤル３０を回転させて希望の位置に測距点を設定することが出来る。７は、露出補正を行なうときに押す露出補正スイッチで、この露出補正スイッチ７を押しながら電子ダイヤル３０を回転させることで補正値を決めることが出来る。そして、設定された補正値は外部ＬＣＤ８に表示される。
【０００９】
図２において、１０はカメラ本体１に内蔵されカメラ全体の制御を司るＣＰＵである。１１は、ＣＰＵ１０に付随した記憶手段として、各種のカメラ機能データや、各種レンズ情報等を記憶する機能を有したＥＥＰＲＯＭである。１２はカメラ本体１を起動させるためのメインスイッチであり、ＳＷ−１はレリーズボタン２の第１ストロークにてオンし、測光、焦点検出動作等を開始するスイッチ１であり、ＳＷ−２は同じくレリーズボタン２の第２ストロークでオンし、露光のためのレリーズ動作を起動するスイッチ２、１５は測光センサ、１６は測距点に対応した公知のＣＣＤラインセンサを用いた測距センサ、１８は外部表示ＬＣＤ８に各種の表示を行うための外部表示ＬＣＤ駆動回路、１９はミラー緊定マグネットであり、ミラー２０を撮影準備状態（ミラーアップ）位置に移動を開始する手段であり、２１はシャッタ緊定マグネットであり、シャッタ２２の先幕および後幕をそれぞれ走行開始する手段である。２４はモータであり、モータ駆動回路２３からの制御信号を受けて、前記ミラー２０やシャッタ２２を初期状態に戻すためのチャージ駆動等を行う。２５は電子ブザーであり、各種の警告や作動状態を音に変換するものである。２６は電子ダイヤル３０の作動を電気信号に変換するアップダウンカウンタである。
【００１０】
次に、図３，４に従って電子ダイヤル３０の詳細構造について説明する。カメラ本体１に固定され、電子ダイヤル３０の回転と共に回転するダイヤル基板３３のパターン３３ａと接触導通し信号を出力する接片３１は、信号出力端子群３１ａ〜３１ｃを持っている。電子ダイヤル３０と一体に回転するクリック板３２の外周の山部又は谷部には球３４が、バネ３５により押し付けられるように付勢されており、電子ダイヤル３０に等分割のクリック感を与えている。
【００１１】
ここで、電子ダイヤル３０を図４の時計回りに１クリック回転させると、図５（ａ）のようにダイヤルスイッチＳＷＤＩＡＬ２がオン、ついでダイヤルスイッチＳＷＤＩＡＬ１がオン、さらにＳＷＤＩＡＬ２がオフ、ＳＷＤＩＡＬ１がオフという順序で信号が変化する。図６に示すアップダウンカウンタ２６は、クロック端子ＣＬＫがハイに立上がるときにカウントするように構成されている。したがってダイヤルスイッチＳＷＤＩＡＬ２がオフになっているとき、ダイヤルスイッチＳＷＤＩＡＬ１はオン状態になっているので、アップダウンカウンタ２６はダウンカウントする。
【００１２】
逆に、電子ダイヤル３０を反時計回りに１クリック回転させた場合は、図５（ｂ）のようにダイヤルスイッチＳＷＤＩＡＬ１がオン、ついでダイヤルスイッチＳＷＤＩＡＬ２がオン、さらにＳＷＤＩＡＬ１がオフ、ＳＷＤＩＡＬ２がオフという順序で信号が変化する。従ってダイヤルスイッチＳＷＤＩＡＬ２がオフになるとき、ダイヤルスイッチＳＷＤＩＡＬ１はオフ状態になっているのでアップダウンカウンタ２６はアップカウントする。
【００１３】
このようにして、電子ダイヤル３０を時計方向に回転させると１クリック毎にダウンカウント、反時計方向では逆にアップカウントさせることができ、カメラの撮影モードに応じて種々な情報（設定値）の入力が可能になっている。
【００１４】
図７において、４０はファインダの視野領域で、各測距点マーク４１、４２、４３、４４、４５のいずれか１つがファインダ視野内で点灯し、焦点検出領域（測距点）を表示させている。４６は、視野領域４０の外に設けられた撮影情報を表示するファインダ内表示部である。
【００１５】
以下、図８のフローチャートに従ってその動作を説明する。まず最初にＳ１０１では、測距点を任意の位置に移動する為に、測距点スイッチ６がオンかオフかを確認する。オンの場合は次に進む。Ｓ１０２では図７（ａ）に示すように現在選択されている測距点４１の表示を点灯し撮影者に現在選択されている測距点を示す、電子ダイヤル３０の回転出力の有無の確認をし、有りの場合にはＳ１０３に進む。Ｓ１０３では電子ダイヤル３０の回転方向を判別して右回転（図４の時計方向回転）の場合はダウンカウント、左回転（同反時計方向回転）の場合はアップカウントすることになる。Ｓ１０４、Ｓ１０５では電子ダイヤル３０の回転の方向に合わせてダウンカウントの場合は測距点を右方向に移動し、アップカウントの場合は左方向に移動し、カウント数に応じて測距点の位置も移動する。Ｓ１０６では電子ダイヤルの回転方向が所定時間内に複数回の変化をしたか判断し、変化しなかった場合は通常の動作としてＳ１０７に進む。Ｓ１０７では測距点選択スイッチ６がオンかオフかを判断してオフになるとその時点での測距点が選択されたことになり、その後の撮影では、選択された測拠点でＡＦ動作、撮影が行なわれることになる。オンの場合はＳ１０２に戻ることになる。Ｓ１０６で電子ダイヤル３０の回転信号が、例えば右回転の信号の後に左回転の信号が出て、その後また右回転の信号が予め設定した時間内に発生した場合は、所定時間内に複数回の反転信号が有ったと判断してＳ２０１へ進むことになる。このときの前記所定時間は、撮影者によって個人差があるので、調整可能になっている。Ｓ２０１では予め設定しておいた位置に測距点が移動することになる。例えば図７（ｂ）に示すように予め中央の測距点４３になるように設定しておくことで、上記のように電子ダイヤル３０を右回転、左回転、右回転と操作することで、中央の測距点４３に瞬時に測距点が移動することになる。また電子ダイヤル３０を左回転、右回転、左回転と操作しても同じように中央の測距点４３に瞬時に測距点が移動することになる。Ｓ２０２では電子ダイヤル３０以外の操作部材が操作されなければ次のＳ２０４に進んで、Ｓ２０１で移動した測距点がその位置で固定されて、その後電子ダイヤル３０を動かしても測距点は移動しない。Ｓ２０２で電子ダイヤル３０以外の操作部材が操作された場合は、スタンバイに戻ることになる。または、Ｓ２０１からＳ２０３に進んで中央の測距点４３に移動してから所定時間が経過するまで電子ダイヤル３０を受け付けずに所定時間待機状態になりその後、所定時間経過後にスタンバイに戻ることになる。前記所定時間についても撮影者に個人差があるので調整可能となっている。
【００１６】
上記説明のように測距点を選択していて、中央の測距点にしたいときに電子ダイヤル３０を右回転、左回転、右回転というように操作することで瞬時に中央の測距点にできるので、電子ダイヤル３０を複雑な構成にしなくて済む。
【実施例２】
【００１７】
以下、本発明の第２の実施例を図面に基づいて説明する。前記第１の実施例と同一部分はその説明を省略する。
【００１８】
図９は、露出補正値の設定を行なうときの説明図である。図９において、８ａは露出補正の補正メモリでその下部に現在の補正値を示す補正マーク８ｂが表示されている。図１０は、本発明の第２の実施例の動作を説明したフローチャートである。
【００１９】
以下、図１０のフローチャートに従ってその動作を説明する。まず最初にＳ３０１では、露出補正を行なう為に、図１の露出補正スイッチ７がオンかオフかを確認する。オンの場合は次に進む。Ｓ３０２では図９（ａ）に示すように現在の露出補正の状態を外部ＬＣＤ８に表示していて、電子ダイヤル３０の回転出力の有無の確認をし有りの場合にはＳ３０３に進む。Ｓ３０３では電子ダイヤル３０の回転方向を判別して右回転の場合はダウンカウント、左回転の場合はアップカウントすることになる。Ｓ３０４、Ｓ３０５では電子ダイヤル３０の回転の方向に合わせてダウンカウントの場合はプラス方向に露出補正値を移動し、アップカウントの場合はマイナス方向に露出補正値を移動し、カウント数に応じて露出補正の量も変化する。Ｓ３０６では電子ダイヤル３０の回転方向が所定時間内に複数回の変化をしたか判断し、変化しなかった場合は通常の動作としてＳ３０７に進む。図９（ａ）では露出補正値がゼロになっている状態を示していて、図９（ｂ）では露出補正値が−１．０ＥＶの状態を示している。Ｓ３０７では露出補正スイッチ７がオンかオフかを判断してオフになるとその時点での露出補正値が決定されたことになり、その後の撮影では、決定された露出補正値で、撮影が行なわれることになる。オンの場合はＳ３０２に戻ることになる。Ｓ３０６で、電子ダイヤル３０の回転信号が例えば右回転の信号の後に左回転の信号が出て、その後また右回転の信号が予め設定した時間内に発生した場合は、所定時間内に複数回の反転信号が有ったと判断してＳ４０１へ進むことになる。このときの前記所定時間は、撮影者によって個人差があるので、調整可能になっている。Ｓ４０１では予め設定しておいた位置に露出補正値が移動することになる。図９（ｃ）は露出補正値がゼロに戻った状態を示している。上記のように、電子ダイヤル３０を右回転、左回転、右回転と操作することで、瞬時に露出補正値がゼロになる。また、電子ダイヤル３０を左回転、右回転、左回転と操作しても同じように瞬時に露出補正値がゼロになる。Ｓ４０２では電子ダイヤル３０以外の操作部材が操作されなければ次のＳ４０４に進んで、Ｓ４０１で移動した露出補正値がその位置で固定されて、その後電子ダイヤル３０を動かしても露出補正値は移動しない。Ｓ４０２で電子ダイヤル３０以外の操作部材が操作された場合は、スタンバイに戻ることになる。または、Ｓ４０１からＳ４０３に進んで露出補正値がゼロになってから所定時間が経過するまで電子ダイヤル３０を受け付けずに所定時間待機状態になりその後、所定時間経過後にスタンバイに戻ることになる。前記所定時間についても撮影者に個人差があるので調整可能となっている。
【００２０】
上記説明のように露出補正値を選択していて、露出補正値をゼロにしたいときに電子ダイヤル３０を所定時間内に右回転、左回転、右回転と言うように操作することで瞬時に露出補正値をゼロにできるので、電子ダイヤル３０を複雑な構成にしなくて済む。
【００２１】
以上本発明の実施例として、測距点の選択と露出補正値の選択の場合について説明したが、本発明はその他にもＩＳＯ感度の設定等電子ダイヤルを使って色々な設定を行なう場合にも適用可能である。
【００２２】
上記説明では、電子ダイヤルの回転方向が右回転、左回転、右回転と言うように２回変化した場合について説明したが、撮影者の誤操作を防止する為に右回転、左回転、右回転、左回転と３回変化した時に予め設定した位置や値に切換えるようにしてもよい。
【図面の簡単な説明】
【００２３】
【図１】本発明のカメラ本体を背面側から見た斜視図。
【図２】本発明のカメラ内部の電気回路のブロック図。
【図３】本発明の電子ダイヤルの断面図。
【図４】本発明の電子ダイヤルのダイヤル部の拡大図。
【図５】本発明の電子ダイヤルの出力信号のタイミングチャート。
【図６】本発明の電子ダイヤルの接続図。
【図７】本発明の実施例１の測距点の選択を説明した図。
【図８】本発明の実施例１の動作を説明したフローチャート。
【図９】本発明の実施例２の露出補正値の設定を行なう時の説明図。
【図１０】本発明の実施例２の動作を説明したフローチャート。
【符号の説明】
【００２４】
１  カメラ本体
２  レリーズボタン
５  設定ボタン
６  測距点選択スイッチ
７  露出補正スイッチ
８  外部表示装置（外部ＬＣＤ）
１０  ＣＰＵ
２６  アップダウンカウンタ
３０  電子ダイヤル
【図１】
2006119519.tif 000003
【図２】
2006119519.tif 000004
【図３】
2006119519.tif 000005
【図４】
2006119519.tif 000006
【図５】
2006119519.tif 000007
【図６】
2006119519.tif 000008
【図７】
2006119519.tif 000009
【図８】
2006119519.tif 000010
【図９】
2006119519.tif 000011
【図１０】
2006119519.tif 000012